(57)【要約】  ショーケース(1A)は、ショーケース本体(1)と、ショーケース本体(1)に設けられ、互いに連続するように開口された正面開口部(400)、右側開口部(401)および左側開口部(402)を有する陳列室(4)と、陳列室(4)に上下方向に間隔を存して配列され、商品(G)を陳列する複数の棚(5)と、を備えている。各棚(5)は、陳列室(4)内に位置された第１の位置(P1)と、正面開口部(400)から陳列室(4)の外に突出された第２の位置(P2)との間でスライド可能にショーケース本体(1)に支持されている。
2015182266.tif 000002
【特許請求の範囲】
【請求項１】
ショーケース本体と、
前記ショーケース本体に設けられ、互いに連続するように開口された正面開口部、右側開口部および左側開口部を有する陳列室と、
前記陳列室に上下方向に間隔を存して配列され、商品を陳列する複数の棚と、を具備し、
前記各棚は、前記陳列室内に位置された第１の位置と、前記正面開口部から前記陳列室の外に突出された第２の位置との間でスライド可能に前記ショーケース本体に支持されたショーケース。
【請求項２】
前記棚を前記ショーケース本体にスライド可能に支持するスライドレール機構をさらに備え、当該スライドレール機構は、前記棚の端部に取り付けられた内レールと、前記ショーケース本体に取り付けられ、前記内レールがスライド可能に連結された外レールと、を含み、前記内レールが前記棚と一緒に前記第１の位置と前記第２の位置との間で往復動可能である請求項１に記載のショーケース。
【請求項３】
前記棚の端部に取り付けられたカバーをさらに備え、当該カバーは、前記棚が前記内レールと一緒に前記第２の位置にスライドされた時に、前記内レールを側方から覆い隠す請求項２に記載のショーケース。
【請求項４】
前記カバーは、前記スライドレール機構を下方から覆うように前記棚の端部から前記スライドレール機構の前記外レールよりも側方に突出された水平部と、前記スライドレール機構を側方から覆うように前記水平部の突出端から立ち上げられた起立部と、を含み、
前記棚は、前記スライドレール機構を上方から覆う上カバーを備えた請求項３に記載のショーケース。
【請求項５】
前記商品に関する事項が記載されたプライスカードを保持するプライスカードホルダをさらに備え、当該プライスカードホルダが前記カバーの前記起立部に取り外し可能に支持された請求項４に記載のショーケース。
【請求項６】
前記プライスカードホルダは、
前記カバーの前記起立部に沿う第１の板部と、
前記第１の板部の上端から下向きに折り返され、前記第１の板部と向かい合う第２の板部と、
前記第１の板部の下端から上向きに折り返され、前記第２の板部の反対側で前記第１の板部と向かい合う第３の板部と、を含み、
前記カバーの前記起立部が前記第１の板部と前記第２の板部の間で挟み込まれ、前記プライスカードが前記第１の板部と前記第３の板部との間に介在された請求項５に記載のショーケース。
【請求項７】
前記プライスカードは、弾性を有する透明な材料で形成された請求項６に記載のショーケース。
【請求項８】
前記棚を前記第１の位置にロックするロック機構をさらに備えた請求項１に記載のショーケース。
【請求項９】
前記ロック機構は、前記棚と一緒にスライドするロック板を有し、当該ロック板は、前記棚が前記第１の位置にスライドされた時に、前記ショーケース本体に固定されたブラケットに取り外し可能に引っ掛かる請求項８に記載のショーケース。
【請求項１０】
前記ロック板は、前記ブラケットに取り外し可能に引っ掛かる下板部と、当該下板部の一端に段差部を介して結合された上板部と、を有し、
前記棚は、夫々スライドレール機構を介して前記ショーケース本体にスライド可能に支持され、当該スライドレール機構は、前記棚の端部に支持板を介して取り付けられた内レールと、前記ブラケットを介して前記ショーケース本体に固定され、前記内レールがスライド可能に連結された外レールと、を含み、
前記ロック板が前記支持板の上に支持された請求項９に記載のショーケース。
【請求項１１】
前記支持板は、前記下板部が前記ブラケットに引っ掛かる位置と、前記下板部が前記ブラケットから離脱する位置との間で変位可能であり、前記上板部を押し下げることで前記下板部が前記ブラケットから離脱するように構成された請求項１０に記載のショーケース。
【請求項１２】
前記棚は、前記スライドレール機構を上方から覆う上カバーを有し、当該上カバーに上板部と向かい合う操作孔が形成された請求項１１に記載のショーケース。
【発明の詳細な説明】
【技術分野】
【０００１】
本発明の実施形態は、商品を陳列する複数の棚が上下方向に配列された陳列室を有するショーケースに関する。
【背景技術】
【０００２】
例えば、コンビニエンスストアあるいは小規模なスーパーマーケットのような店舗面積が比較的狭い商店においては、商品を陳列する複数の棚が上下方向に配列された陳列室を有するショーケースが設置されている。【０００３】
商品を陳列する棚が固定されたショーケースによると、例えば陳列室に商品を補充する場合、販売者は棚の奥方にまで手を伸ばして商品を補充する作業を強いられることになり、作業性が悪い。【０００４】
さらに、棚の上に並べられた商品の高さ寸法が上の段の棚に接しない程度に設定されている場合、棚の上に残った商品と上の段の棚との間に商品を通せるだけの隙間が存在しない。このため、陳列室に商品を補充する際に、棚の上に残った商品を一旦取り出すといった面倒で手間のかかる作業を必要とする。【０００５】
一方、棚を陳列室から引き出し可能としたショーケースでは、棚がスライドレールを介してショーケースに取り付けられている。この構成によれば、棚を陳列室の外に引き出すことができるので、販売者が棚の上に商品を補充する際に、陳列室の奥方まで手を伸ばさずに済むとともに、棚の上に残った商品を棚から取り出す手間を省くことができる。
【先行技術文献】
【特許文献】
【０００６】
【特許文献１】特開２００９−７８１５６号公報
【発明の概要】
【発明が解決しようとする課題】
【０００７】
従来のショーケースによると、陳列室はショーケースの正面に向けて開口されているので、一人の購買者が陳列室の正面に立つと、当該購買者が他の購買者の視界を遮ってしまう。この結果、他の購買者は陳列室の内部を見渡すことができず、商品を見たり、手に取ることが困難となる。【０００８】
近年、陳列室を正面、右側面および左側面の三方向に向けて連続的に開放させた、所謂オープンタイプのショーケースが知られている。この種のショーケースは、陳列室の幅寸法に対して奥行き寸法が非常に長く、しかも、商品を陳列する棚が陳列室の正面、右側面および左側面を繋ぐ一枚物で構成されているとともに、ショーケースに固定されている。そのため、商品を陳列室に補充する際には、販売者は陳列室の奥方まで手を伸ばして作業しなくてはならず、作業性の面で改善の余地がある。【０００９】
このようなことから、コンパクトで設置面積を必要最小限に抑えて、陳列室の正面、右側面および左側面から棚の上の商品を見て取り出すことができ、商品の展示効果および販売効率を高めることができるとともに、陳列室に商品を補充する際の作業を容易に行えるショーケースが求められている。
【課題を解決するための手段】
【００１０】
実施形態によれば、ショーケースは、ショーケース本体と、前記ショーケース本体に設けられ、互いに連続するように開口された正面開口部、右側開口部および左側開口部を有する陳列室と、前記陳列室に上下方向に間隔を存して配列され、商品を陳列する複数の棚と、を備えている。前記各棚は、前記陳列室内に位置された第１の位置と、前記正面開口部から前記陳列室の外に突出された第２の位置との間でスライド可能に前記ショーケース本体に支持されている。
【図面の簡単な説明】
【００１１】
【図１】図１は、第１の実施形態に係るショーケースの正面図である。
【図２】図２は、第１の実施形態に係るショーケースの側面図である。
【図３】図３は、第１の実施形態において、ショーケースの構成を概略的に示す側面図である。
【図４】図４は、第１の実施形態において、棚を支持するスライドレール機構を分解して示す斜視図である。
【図５】図５は、第１の実施形態において、棚とスライドレール機構との位置関係を示す断面図である。
【図６】図６は、第１の実施形態において、商品を陳列した棚が第１の位置にスライドされた状態を示す斜視図である。
【図７】図７は、第１の実施形態において、商品を陳列した棚が第２の位置にスライドされた状態を示す斜視図である。
【図８】図８は、第２の実施形態において、ロック機構を備えた棚とスライドレール機構との位置関係を分解して示す斜視図である。
【図９】図９は、第２の実施形態において、ロック機構を備えた棚とスライドレール機構との位置関係を示す断面図である。
【図１０Ａ】図１０Ａは、第２の実施形態において、棚がロック機構を介して第１の位置にロックされた状態を示す断面図である。
【図１０Ｂ】図１０Ｂは、第２の実施形態において、棚のロックが解除された状態を示す断面図である。
【図１０Ｃ】図１０Ｃは、第２の実施形態において、棚のロックを解除して棚を第１の位置から第２の位置に向けてスライドさせた状態を示す断面図である。
【図１１Ａ】図１１Ａは、第２の実施形態において、商品を陳列した棚が第１の位置にスライドされた状態を示す斜視図である。
【図１１Ｂ】図１１Ｂは、第２の実施形態において、商品を陳列した棚が第２の位置にスライドされた状態を示す斜視図である。
【発明を実施するための形態】
【００１２】
[第１の実施形態]
以下、第１の実施形態を図１ないし図７を参照して説明する。
【００１３】
図１は、オープンタイプのショーケース１Ａの外観を示す正面図、図２は、ショーケース１Ａの外観を示す側面図である。図１および図２に示すように、ショーケース１Ａは、ショーケース本体１を備えている。ショーケース本体１は、正面から見た時および上から見た時の形状が夫々矩形状の要素であって、例えば店舗の床Ｆの上に据え付けられている。
【００１４】
ショーケース本体１は、天板２、機械室３および陳列室４を有している。天板２は、ショーケース本体１の最上部に設けられている。機械室３は、ショーケース本体１の最下部に設けられている。陳列室４は、天板２と機械室３との間に設けられている。
【００１５】
天板２は、ショーケース本体１を正面から見た時に、ショーケース本体１の幅方向に沿う所定の長さＦａを有する細長い偏平な矩形状である。天板２の下面は、陳列室４の天井となる天井部４ｂを形成している。機械室３は、ショーケース本体１を正面から見た時に、上下方向の寸法が天板２よりも大きいとともに、ショーケース本体１の幅方向に沿う所定の長さＦａを有している。機械室３の上壁は、陳列室４の底となる底面部４ｃを形成している。
【００１６】
陳列室４は、ショーケース本体１を正面から見た時に、ショーケース本体１の幅方向に沿う所定の長さＦａを有するとともに、ショーケース本体１の上下方向に沿う寸法が長さＦａよりも十分に長く形成されている。この結果、ショーケース本体１の幅方向の長さＦａは、ショーケース本体１の幅寸法を規定している。さらに、ショーケース本体１の背面部１ａは、矩形状の平板で構成されている。背面部１ａは、ショーケース本体１の高さ方向に沿って起立している。
【００１７】
図２に示すように、天板２は、ショーケース本体１を側方から見た時に、背面部１ａの上端からショーケース本体１の前方に向けて水平に突出されている。機械室３は、ショーケース本体１を側方から見た時に、背面部１ａの下部からショーケース本体１の前方に向けて突出されている。機械室３の前端は、天板２の前端よりもショーケース本体１の前方に向けて僅かに突出されている。このため、ショーケース本体１の奥行き方向に沿う寸法Ｆｂは、背面部１ａから機械室３の前端までの長さによって規定されている。
【００１８】
図３に示すように、陳列室４は、背面壁４ａを有している。背面壁４ａは、陳列室４の奥行き方向に沿う終端でショーケース本体１の高さ方向に延びている。背面壁４ａは、ショーケース本体１の背面部１ａよりもショーケース本体１の前方に位置されている。さらに、背面壁４ａの上端部は、ショーケース本体１の背面部１ａと略平行であるが、背面壁４ａのうち上端部を除く領域は、陳列室４の底に近づくに従い陳列室４の前方に向けて僅かに傾斜されている。
【００１９】
本実施形態によると、陳列室４は、背面壁４ａ、天井部４ｂおよび底面部４ｃで囲まれた領域で規定されている。そのため、陳列室４は、ショーケース本体１の正面、右側面および左側面が連続して開放された、いわゆる三面開放形となっている。言い換えると、陳列室４は、正面開口部４００、右側開口部４０１および左側開口部４０２を有している。
【００２０】
次に、ショーケース本体１の各部位について詳細に説明する。図３は、ショーケース本体１の構成を概略的に示す側面図である。図３に示すように、複数段の棚５が陳列室４の背面壁４ａに設けられている。棚５は、例えばボトル入り飲料のような複数の商品Ｇを陳列するための要素であって、陳列室４の高さ方向に所定の間隔を存して配列されている。図１に最もよく示されるように、各棚５は、背面壁４ａよりも僅かに小さな幅寸法を有し、各棚５の幅方向に沿う両端が背面壁４ａの幅方向に沿う両端よりも陳列室４の内側に位置されている。
【００２１】
図１および図３に示すように、複数の冷気吹出口７が陳列室４の背面壁４ａに形成されている。冷気吹出口７は、複数の棚５に対応するように陳列室４の高さ方向に互いに間隔を存して並んでいる。本実施形態によると、冷気吹出口７は、夫々右側吹出部７ａ、左側吹出部７ｂおよび中央吹出部７ｃを有している。右側吹出部７ａは、棚５の右端部に対応した位置で陳列室４の高さ方向に延びている。左側吹出部７ｂは、棚５の左端部に対応した位置で陳列室４の高さ方向に延びている。中央吹出部７ｃは、右側吹出部７ａの上端と左側吹出部７ｂの上端との間を結ぶように陳列室４の幅方向に水平に延びている。そのため、右側吹出部７ａおよび左側吹出部７ｂは、中央吹出部７ｃを介して互いに連通されている。
【００２２】
陳列室４の幅方向に沿う中央吹出部７ｃの長さは、陳列室４の幅方向に沿う棚５の長さと同じか、あるいは棚５よりも僅かに長く形成されている。本実施形態では、棚５の右端部およびその外側に右側吹出部７ａが位置されるとともに、棚５の左端部およびその外側に左側吹出部７ｂが位置されている。したがって、冷気吹出口７は、棚５の上に陳列された商品Ｇに向けて開口されている。
【００２３】
ショーケース本体１は、照明部８を備えている。照明部８は、陳列室４内の照明および商品Ｇの表面に表示された商品名を照明する要素であって、陳列室４の天井部４ｂを構成する天板２の前端部に配置されている。照明部８は、ショーケース本体１の幅方向に延びている。
【００２４】
スリット状の吹出口１０が陳列室４の天井部４ｂに設けられている。吹出口１０は、ショーケース本体１の外部の空気が陳列室４に侵入するのを防ぐエアカーテンを形成するための要素であって、照明部８の背後で下向きに開口されている。
【００２５】
吹出口１０は、陳列室４の正面開口部４００、右側開口部４０１および左側開口部４０２の上端に位置するように、天井部４ｂの右端部、前端部および左端部に沿って連続して形成されている。
【００２６】
図１に示すように、吹出口１０のうち天井部４ｂの右端部に位置された領域１０ａは、冷気吹出口７の右側吹出部７ａよりもショーケース本体１の右側に位置されている。同様に、吹出口１０のうち天井部４ｂの左端部に位置された領域１０ｂは、冷気吹出口７の左側吹出部７ｂよりもショーケース本体１の左側に位置されている。
【００２７】
さらに、吹出口１０の二つの領域１０ａ，１０ｂは、棚５の右端部および左端部よりもショーケース本体１の幅方向に沿う外側に位置されている。したがって、吹出口１０の二つの領域１０ａ，１０ｂから吹き出す空気流は、棚５の右端部および左端部で遮られることなく陳列室４の底に向けて降下するようになっている。
【００２８】
図３に示すように、エアカーテン用の第１のダクト１１が天板２の内部に形成されている。第１のダクト１１の下流端は、吹出口１０に通じている。第１のダクト１１の上流端は、冷気循環用の第２のダクト１２に連通されている。
【００２９】
吸込口１３が陳列室４の底面部４ｃに形成されている。吸込口１３は、陳列室４の正面開口部４００、右側開口部４０１および左側開口部４０２の下端に位置するように、底面部４ｃの右端部、前端部および左端部に沿って連続して形成されている。本実施形態によると、吸込口１３は、吹出口１０から吸込口１３に至る経路上に障害物が存在しないように底面部４ｃの上での開口位置が規定されている。さらに、吸込口１３は、隔壁１４によって機械室３から隔てられている。
【００３０】
図３に示すように、陳列室４の背面壁４ａとショーケース本体１の背面部１ａとの間に仕切り板１９が配置されている。仕切り板１９は、例えば発泡スチロール等の断熱材で形成されており、背面壁４ａおよび背面部１ａに沿うように起立している。
【００３１】
仕切り板１９と背面壁４ａとの間の空間は、冷気循環用の第２のダクト１２を構成している。仕切り板１９と背面部１ａとの間の空間は、排気用の第３のダクト２０を構成している。
【００３２】
第２のダクト１２の下端部は、隔壁１４を介して吸込口１３に連通されている。第２のダクト１２の中間部は、陳列室４の背後に位置されるとともに、当該第２のダクト１２の中間部に冷気吹出口７が開口されている。さらに、第２のダクト１２の上端部は、第１のダクト１１に連通されている。
【００３３】
第２のダクト１２の中間部に複数の案内板２５が設けられている。案内板２５は、夫々冷気吹出口７の真上に位置されている。案内板２５は、例えば直角に折り曲げられた鋼板で形成されており、起立部２５ａおよび水平部２５ｂを有している。案内板２５の起立部２５ａは、第２のダクト１２に臨む背面壁４ａの裏面に例えば溶接等の手段で固定されている。案内板２５の水平部２５ｂは、背面壁４ａの裏面から第２のダクト１２の内部に向けて突出されている。
【００３４】
冷気吹出口７は、既に述べたように右側吹出部７ａ、左側吹出部７ｂおよび中央吹出部７ｃを有し、右側吹出部７ａ、左側吹出部７ｂおよび中央吹出部７ｃでは、開口形状や寸法が互いに異なっている。そのため、案内板２５にしても、右側吹出部７ａ、左側吹出部７ｂおよび中央吹出部７ｃに適した寸法および形状を有している。
【００３５】
排気用の第３のダクト２０の下端部は機械室３に連通されている。第３のダクト２０の上端部は、排気口ｆとしてショーケース本体１の外部に開口されている。
【００３６】
図３に示すように、ショーケース本体１の機械室３には、圧縮機１５、凝縮器１６、膨張弁１７および第１の送風機１８が収容されている。それとともに、第２のダクト１２に連なる隔壁１４の内側に冷気循環用の第２の送風機２２が配置されている。第２の送風機２２は、吸込口１３と第２のダクト１２との間に位置し、当該送風機２２の吸い込み側に吸込口１３が位置されている。
【００３７】
さらに、第２の送風機２２の吐出側に位置された第２のダクト１２の下端部に蒸発器２３が配置されている。蒸発器２３、圧縮機１５、凝縮器１６および膨張弁１７は、冷媒が循環する循環回路２６で接続されて、一つの独立した冷凍サイクルを構成している。
【００３８】
機械室３の前面は、前面板２７で覆われている。前面板２７は、外気取り入れ用の複数のパンチング孔を有するとともに、複数のねじのような取付具を介してショーケース本体１に取り外し可能に支持されている。機械室３の右側面および左側面は、夫々側面板（図示せず）で覆われている。側面板は、複数のねじのような取付具を介してショーケース本体１に取り外し可能に支持されている。
【００３９】
前面板２７および側面板をショーケース本体１から取り外すことで、機械室３をショーケース本体１の外に開放することができる。このため、機械室３に収容された圧縮機１５のような冷凍サイクルを構成する部品のメンテナンスを容易に行うことができる。
【００４０】
このような構成を有するショーケース１Ａにおいて、圧縮機１５、第１の送風機１８および第２の送風機２２を駆動することでショーケース１Ａの運転が開始されると、低温・低圧の気相冷媒が圧縮機１５で圧縮され、高圧の過熱度の大きな気相冷媒となって凝縮器１６に導かれる。第１の送風機１８は、ショーケース本体１の外の外気を前面板２７のパンチング孔を通じて機械室３に吸い込むとともに、凝縮器１６に送風する。
【００４１】
機械室３に吸い込まれた外気は、凝縮器１６および圧縮機１５を冷却する。凝縮器１６および圧縮機１５を冷却して高温となった外気は、機械室３から第３のダクト２０に導かれるとともに、第３のダクト２０の上端の排気口ｆからショーケース本体１の外部に排出される。
【００４２】
圧縮機１５から凝縮器１６に導かれた気相冷媒は、機械室３に吸い込まれた外気との熱交換により凝縮し、高圧の液相冷媒に変化する。高圧の液相冷媒は、膨張弁１７を通過する過程で減圧されて中間圧の気液二相冷媒に変化する。気液二相冷媒は、蒸発器２３に導かれ、第２の送風機２２から送風される空気と熱交換することで蒸発する。この結果、気液二相冷媒は、蒸発潜熱によって低温・低圧の気液二相冷媒に変化するとともに、アキュームレータあるいはサクションカップを経て圧縮機１５に戻される。
【００４３】
第２の送風機２２から送風される空気は、潜熱を奪われることにより冷やされ、冷風となって第２のダクト１２に導かれる。第２のダクト１２に導かれた冷風は、第２のダクト１２に沿って上昇するとともに、その上昇過程で案内板２５により冷気吹出口７に向けて案内される。したがって、冷風が冷気吹出口７から陳列室４に吹き出し、棚５の上に陳列された商品Ｇを強制的に冷却する。
【００４４】
本実施形態によると、冷気吹出口７の右側吹出部７ａは、棚５の右端部およびその外側に位置され、冷気吹出口７の左側吹出部７ｂは、棚５の左端部およびその外側に位置されている。このため、冷気吹出口７の右側吹出部７ａおよび左側吹出部７ｂから吹き出す冷風は、棚５のコーナ部分に陳列された商品Ｇを包み込むように流れ、当該商品Ｇを効率よく冷却する。
【００４５】
一方、第２のダクト１２の上端に達した冷風は、第１のダクト１１を経て吹出口１０に導かれるとともに、当該吹出口１０から下向きに吹き出す。吹出口１０は、陳列室４の正面開口部４００、右側開口部４０１および左側開口部４０２の上端に位置するように、天井部４ｂの右端部、前端部および左端部に沿って連続して形成されているので、陳列室４の正面開口部４００、右側開口部４０１および左側開口部４０２の上端から吹き下ろす空気流の膜を形成することができる。
【００４６】
したがって、空気流の膜で陳列室４を正面、右側および左側から連続して取り囲むことができ、ショーケース本体１の外部から陳列室４への外気の侵入を効率よく遮断できる。
【００４７】
吹出口１０から吹き出した冷風および冷気吹出口７から吹き出した冷風は、互いに混じり合って陳列室４の下端の吸込口１３に吸い込まれる。吸込口１３に吸い込まれた冷風は、第２の送風機２２を介して蒸発器２３に導かれ、再び第２のダクト１２に送り込まれる。
【００４８】
吸込口１３は、吹出口１０から吸込口１３に至る経路上に障害物が存在しないように底面部４ｃの上での開口位置が規定されている。このため、吹出口１０から吹き出された冷風は、棚５に遮られることなく吸込口１３に円滑に吸い込まれる。よって、陳列室４の正面開口部４００、右側開口部４０１および左側開口部４０２に、陳列室４の上端から吹き下ろす空気流の膜を安定して形成することができる。
【００４９】
本実施形態のショーケース１Ａでは、商品Ｇを陳列する複数段の棚５を備えた陳列室４を、ショーケース本体１の正面、右側面および左側面が連続して開放された、いわゆる三面開放形としている。加えて、陳列室４の正面開口部４００、右側開口部４０１および左側開口部４０２の上端に位置された吹出口１０から冷風を下向きに吹き出すとともに、当該冷風を吹出口１０の下方に位置された吸込口１３で吸い込むようにしている。
【００５０】
このような構成によれば、棚５の上に陳列された商品Ｇの冷却性能を確保しつつ、商品Ｇの展示効果および商品Ｇの販売効率を高めることができる。
【００５１】
ところで、本実施形態によると、商品Ｇを陳列する複数の棚５は、夫々一対のスライドレール機構Ｓを介してショーケース本体１にスライド可能に支持されている。スライドレール機構Ｓは、棚５の右端部とショーケース本体１との間、および棚５の左端部とショーケース本体１との間に介在されている。スライドレール機構Ｓは、互いに同一の構成を有するため、棚５の右端部とショーケース本体１との間のスライドレール機構Ｓを代表して説明する。
【００５２】
図４は、スライドレール機構Ｓを分解して示す斜視図、図５は、棚５とスライドレール機構Ｓとの位置関係を示す断面図である。具体的に述べると、棚５の右端部には、立ち上がり部５ｂおよびフランジ部５ｃが形成されている。立ち上がり部５ｂは、棚５の右側の縁から垂直に起立されるとともに、棚５の奥行き方向に延びている。フランジ部５ｃは、立ち上がり部５ｂの上端から棚５の右側に向けて水平に折り曲げられている。フランジ部５ｃは、スライドレール機構Ｓを上方から覆う上カバーとして機能する。
【００５３】
スライドレール機構Ｓは、外レール３０、内レール４０および中レール５０を主要な要素として備えている。各レール３０，４０，５０は、夫々金属材料で形成されている。外レール３０および内レール４０は、略同一の長さを有している。中レール５０は、外レール３０および内レール４０よりも短い。
【００５４】
中レール５０は、外レール３０と内レール４０との間に介在されている。外レール３０と中レール５０との間には、リテーナで保持された複数のスチールボール４５が挿入されている。同様に、内レール４０と中レール５０との間にもリテーナで保持された複数のスチールボール４５が挿入されている。
【００５５】
このため、スライドレール機構Ｓは、中レール４０を外レール３０から二段階に亘るストロークで引き出すことができる、いわゆるダブルスライド方式を採用している。図４は、外レール３０に対して内レール４０を最大限に引き出した状態を示している。
【００５６】
図４および図５に示すように、ブラケット３１が外レール３０の外側面に取り付けられている。ブラケット３１は、例えば直角に折り曲げられた板金材で形成されており、外レール３０の外側面を覆う起立部３１ａと、起立部３１ａの下端から外レール３０の下方に水平に張り出すフランジ部３１ｂと、を有している。ブラケット３１の表面は、例えば塗装を施すことで美麗に仕上げられている。
【００５７】
図では省略しているが、ブラケット３１の基端部は、外レール３０の基端部から外レール３０の長手方向に突出されている。ブラケット３１の基端部は、陳列室４の右端部にねじ止めのような手段で取り付けられている。このため、外レール３０は、ブラケット３１を介してショーケース本体１に固定され、ショーケース本体１の奥行き方向に水平に延びている。
【００５８】
このことから、外レール３０に中レール５０を介してスライド可能に組み付けられた内レール４０を外レール３０から引き出すと、内レール４０と中レール５０との係合部分および内レール４０の内部構造が外レール３０の外部に露出される。
【００５９】
内レール４０は、支持板４１を介して棚５の立ち上がり部５ｂに取り付けられている。支持板４１は、例えば直角に折り曲げられた板金材で形成されており、棚５の立ち上がり部５ｂに沿う起立部４１ａと、起立部４１ａの下端から棚５の右端部の下方に張り出す水平部４１ｂと、を有している。起立部４１ａは、棚５の奥行き方向に延びており、当該起立部４１ａに内レール４０の内側面が例えばボルトのような複数の固定具を介して固定されている。水平部４１ｂは、棚５の底板５ａの下面に例えばボルトのような複数の固定具を介して固定されている。
【００６０】
図５に示すように、支持板４１を棚５の右端部に固定した状態では、棚５の立ち上がり部５ｂと支持板４１の起立部４１ａとの間に隙間が形成されている。このため、内レール４０と支持板４１の起立部４１ａとをボルトのような固定具で固定した場合でも、固定部の端部は隙間内に突出するに止まる。よって、固定具が棚５と干渉するのを回避できる。
【００６１】
棚５が固定された内レール４０は、ショーケース本体１に固定された外レール３０に対し直線的にスライド可能である。そのため、棚５は、内レール４０と一緒にスライド可能である。
【００６２】
図４および図５に示すように、カバー４２が支持板４１に取り付けられている。カバー４２は、例えば直角に折り曲げられた板金材で形成されている。板金材の表面は、例えば塗装を施すことで美麗に仕上げられている。カバー４２は、水平部４２ａおよび起立部４２ｂを有している。水平部４２ａは、支持板４１の水平部４１ｂの下面に重ねられるとともに、支持板４１を棚５の底板５ａに固定する固定具を利用して棚５の底板５ａに固定されている。したがって、カバー４２は、支持板４１および棚５と一緒にスライド可能である。
【００６３】
さらに、カバー４２の水平部４２ａは、内レール４０、中レール５０、外レール３０およびブラケット３１の下方を通してブラケット３１の右側方に延出されている。カバー４２の起立部４２ｂは、水平部４２ａの延出端から立ち上げられている。カバー４２の起立部４２ｂとブラケット３１の起立部３１ａとは、互いに向かい合っている。起立部４２ｂ，３１ａの間には隙間が形成されている。
【００６４】
カバー４２の起立部４２ｂの上端は、ブラケット３１の起立部３１ａの上端と略同一の高さに位置されている。このため、カバー４２は、ブラケット３１および外レール３０を遮蔽するとともに、内レール４０が外レール３０から最大限に引き出された状態においても、内レール３０および中レール５０を遮蔽するようになっている。
【００６５】
図４および図５に示すように、カバー４２の起立部４２ｂは、第１の部分４２ｃ、第２の部分４２ｄ、第３の部分４２ｅおよび第４の部分４２ｆを含んでいる。第１の部分４２ｃは、水平部４２ａの延出端から起立部４２ｂの高さ方向に沿う中間の位置まで略垂直に立ち上げられている。第２の部分４２ｄは、第１の部分４２ｃの上端から連続して立ち上がるとともに、上方に進むに従いブラケット３１の起立部３１ａに近づくように傾斜されている。第３の部分４２ｅは、第２の部分４２ｄの上端から略垂直に立ち上げられている。第４の部分４２ｆは、起立部４２ｂの上端に位置されるとともに、カバー４２の右側に折り返されている。
【００６６】
プライスカードホルダ４３がカバー４２の起立部４２ｂに取り付けられている。プライスカードホルダ４３は、例えば透明な合成樹脂材料により形成されている。棚５の奥行き方向に沿うプライスカードホルダ４３の寸法は、棚５の奥行き方向に沿うカバー４２の寸法と略同一となっている。
【００６７】
プライスカードホルダ４３は、第１の板部４３ａ、第２の板部４３ｂおよび第３の板部４３ｃを備えている。第１の板部４３ａは、カバー４２の起立部４２ｂと略同一の高さ寸法を有するとともに、起立部４２ｂに沿って棚５の奥行き方向に延びている。第２の板部４３ｂは、第１の板部４３ａの上端から下向きに折り返されている。第２の板部４３ｂは、第１の板部４３ａと向かい合うとともに、第２の板部４３ｂの下端が第１の板部４３ａの高さ方向に沿う中間部に位置されている。第３の板部４３ｃは、第１の板部４３ａの下端から上向きに折り返されている。第３の板部４３ｃは、第２の板部４３ｂの反対側で第１の板部４３ａと向かい合うとともに、第３の板部４３ｃの上端が第１の板部４３ａの上端と略同一の高さに位置されている。第３の板部４３ｃの上端は、第１の板部４３ａの上端に接している。
【００６８】
合成樹脂製のプライスカードホルダ４３は、弾性変形が可能である。そのため、第３の板部４３ｃの上端が第１の板部４３ａの上端から離れる方向にプライスカードホルダ４３を弾性的に変形させることで、第１の板部４３ａと第３の板部４３ｃとの間にプライスカード４４を挿入することができる。
【００６９】
プライスカード４４は、例えば棚５の上に陳列された商品Ｇの商品名および値段、商品Ｇが要冷蔵物であること等、商品Ｇに関する事項を表示するための要素であって、プライスカードホルダ４３の第３の板部４３ｃを通じて陳列室４の右側開口部４０１に露出されている。
【００７０】
図５に示すように、プライスカードホルダ４３は、第１の板部４３ａと第２の板部４３ｂとの間でカバー４２の起立部４２ｂを弾性的に挟み込むことでカバー４２に保持されている。
【００７１】
プライスカードホルダ４３をカバー４２に取り付ける手順について具体的に述べる。
【００７２】
まず、プライスカードホルダ４３の第１の板部４３ａと第２の板部４３ｂとの間にカバー４２の起立部４２ｂの上端を宛がう。この状態で、プライスカードホルダ４３を起立部４２ｂに対し押し下げる。
【００７３】
これにより、プライスカードホルダ４３の第２の板部４３ｂが第１の板部４３ａから遠ざかるように弾性変形するとともに、カバー４２の起立部４２ｂのうち第２の部分４２ｄから第４の部分４２ｆに至る領域がプライスカードホルダ４３の第１の板部４３ａと第２の板部４３ｂとの間に入り込む。さらに、プライスカードホルダ４３の第２の板部４３ｂがカバー４２の起立部４２ｂとブラケット３１の起立部３１ａとの間の隙間に挿入される。
【００７４】
このように第１の板部４３ａと第３の板部４３ｃとの間にプライスカード４４が挿入されたプライスカードホルダ４３は、カバー４２の起立部４２ｂに上方から差し込むことで、カバー４２に容易に取り付けることができる。
【００７５】
図５に示すように、プライスカードホルダ４３は、第１ないし第３の板部４３ａ，４３ｂ，４３ｃでカバー４２の起立部４２ｂを包み込んでいるので、カバー４２が内レール４２と一緒にいかなる位置にスライドされた状態でも、カバー４２の起立部４２ｂを覆い隠すことができる。
【００７６】
プライスカードホルダ４３がカバー４２に取り付けられた状態において、プライスカードホルダ４３の第３の板部４３ｃの上端が第１の板部４３ａの上端から遠ざかる方向にプライスカードホルダ４３を変形させることで、プライスカード４４をプライスカードホルダ４３から取り出すことができる。そのため、プライスカード４４の交換作業を容易に行うことができる。
【００７７】
図５に最もよく示されるように、カバー４２の起立部４２ｂと棚５の立ち上がり部５ｂとの間に介在されたスライドレール機構Ｓは、カバー４２の水平部４２ａで下方から覆われているとともに、棚５のフランジ部５ｃで上方から覆われている。このため、棚５およびカバー４２を利用してスライドレール機構Ｓを全体的に覆い隠すことができ、オープンタイプのショーケース１Ａの美観が損なわれることはない。
【００７８】
さらに、プライスカードホルダ４３が取り付けられるカバー４２の起立部４２ｂは、スライドレール機構Ｓを上方から覆うフランジ部５ｃから独立した別の要素であるとともに、フランジ部５ｃから離れている。このため、図５に示すように、カバー４２の起立部４２ｂとフランジ部５ｃとの間に隙間が生じ、プライスカードホルダ４３をカバー４２の上方から起立部４２ｂに差し込むことができる。よって、プライスカードホルダ４３をカバー４２に取り付ける作業を容易に行うことができる。
【００７９】
図６は、商品Ｇを陳列した任意の段の棚５が通常の陳列に供する第１の位置Ｐ１にスライドされた状態を示している。図７は、商品Ｇを陳列した任意の段の棚５が第１の位置Ｐ１から第２の位置Ｐ２に引き出された状態を示している。図６および図７の例では、棚５の前端角部にプライスカードホルダ４３の前端に連なるコーナーカバー６０が取り付けられている。
【００８０】
棚５が第１の位置Ｐ１にスライドされた状態では、棚５および棚５の上に陳列された商品Ｇは、陳列室４内に位置され、商品Ｇがショーケース本体1の正面開口部４００、右側開口部４０１および左側開口部４０２を通じてショーケース本体1の外に露出されている。そのため、購買者は、商品Ｇを三方向から見たり、商品Ｇを手に取って棚５の上から取り出すことができる。よって、商品Ｇの展示効果および販売効率を高めることができる。
【００８１】
さらに、棚５の右端部が陳列室４の右側開口部４０１に位置されるので、プライスカードホルダ４３に取り付けられたプライスカード４４をショーケース本体１の外から見ることができる。同様に、棚５の左端部が陳列室４の左側開口部４０２に位置されるので、プライスカードホルダ４３に取り付けられたプライスカード４４をショーケース本体１の外から見ることができる。
【００８２】
棚５が図６に示す第１の位置Ｐ１にスライドされている時、棚５に取り付けられたスライドレール機構Ｓの内レール４０は、中レール５０と共に外レール３０と重なり合う位置までスライドされており、スライドレール機構Ｓが最も縮んだ状態にある。そのため、カバー４２に取り付けられたプライスカードホルダ４３がブラケット３１の外側に進出し、ブラケット３１と共にスライドレール機構Ｓを覆い隠す。
【００８３】
したがって、スライドレール機構Ｓおよびブラケット３１がショーケース本体１の右側開口部４０１および左側開口部４０２から見えることはなく、オープンタイプのショーケース１Ａの外観を良好に維持できる。
【００８４】
さらに、スライドレール機構Ｓが棚５、ブラケット３１およびカバー４２を介して全体的に覆われているので、スライドレール機構Ｓに異物が挟まったり噛み込まれる危険性を回避できる。そのため、棚５をスライドさせる作業を円滑に行うことができる。
【００８５】
任意の棚５を図６に示す第１の位置Ｐ１から図７に示す第２の位置Ｐ２にスライドさせると、図２に二点鎖線で示すように、棚５が正面開口部４００から陳列室４の前方に飛び出し、棚５の周囲が広く開放される。このため、例えば棚５の上に陳列された商品Ｇの背が高く、当該商品Ｇと上段に位置する棚５との間に充分な隙間を確保できないような状況下においても、棚５の上に残留した商品Ｇの背後に新たな商品Ｇを補充する作業を容易に行うことができる。
【００８６】
加えて、棚５が陳列室４の外に引き出されるので、商品Ｇを補充する際に陳列室４の奥方まで手を差し入れて作業をする必要はなく、労力を軽減できる。
【００８７】
さらに、棚５を第２の位置Ｐ２にスライドさせると、棚５に支持板４１を介して取り付けられたカバー４２およびカバー４２に取り付けられたプライスカードホルダ４３が内レール４０と一緒に第２の位置Ｐ２に引き出される。
【００８８】
一方、外レール３０が取り付けられたブラケット３１は不動であり、陳列室４の右側開口部４０１および左側開口部４０２に残る。この際、外レール３０の内部構造はブラケット３１により遮蔽されているので、外レール３０の内部構造が購買者の目にとまることはない。そのため、棚５を陳列室４の外に引き出した状態でもショーケース１Ａの外観が損なわれずに済む。それとともに、購買者が興味本位で外レール３０に触れるのを回避でき、外レール３０の損傷を防止できる。
【００８９】
[第２の実施形態]
図８、図９、図１０Ａ、図１０Ｂ、図１０Ｃ、図１１Ａおよび図１１Ｂは、第２の実施形態を開示している。第２の実施形態は、例えば地震により激しい揺れが発生した時の対策として、常時は棚５を第１の位置Ｐ１にロックし、必要に応じて棚５のロックを解除できるロック機構Ｒを付加した点が第1の実施形態と相違している。それ以外のショーケース１Ａの構成は、第1の実施形態と同様である。そのため、第２の実施形態において、第１の実施形態と同一の構成部分には同一の参照符号を付して、その説明を省略する。
【００９０】
図８は、ロック機構Ｒを備えた棚５とスライドレール機構Ｓとの位置関係を分解して示す斜視図、図９は、ロック機構Ｒを備えた棚とスライドレール機構との位置関係を示す断面図である。図９は、図８の中のａ線、ｂ線およびｃ線に沿う箇所の断面を同時に示している。
【００９１】
図８に示すように、ブラケット３１の起立部３１ａの上縁に係止溝３１ｃが形成されている。係止溝３１ｃは、起立部３１ａの長手方向に沿う中間部に位置されているとともに、起立部３１ａの上縁から所定の深さで凹んでいる。
【００９２】
さらに、ブラケット３１の起立部３１ａの前端の上部に斜めにカットされたカット部３１ｄが形成されている。カット部３１ｄは、棚５を陳列室４内にセットする際に、当該棚５をスライドレール機構Ｓに容易に取り付けるための要素である。カット部３１ｄは、前記第１の実施形態のブラケット３１においても適用することができる。
【００９３】
内レール４０の内側面に沿って取り付けられる支持板４１は、起立部４１ａの上縁に連続するフランジ部４１ｃを有している。フランジ部４１ｃは、起立部４１ａの上縁からブラケット３１の起立部３1ａに向けて水平に折り曲げられている。支持板４１のフランジ部４１ｃは、棚５のフランジ部５ｃの下方に位置されるとともに、当該フランジ部５ｃと平行に配置されている。棚５のフランジ部５ｃの前部には、円形の操作孔５３が形成されている。操作孔５３は、作業者の手の指先が挿入できる程度の大きさを有している。
【００９４】
支持板４１のフランジ部４１ｃの前部には、ねじ孔４６が形成されている。ねじ孔４６は、操作孔５３の下方に同軸状に位置されている。固定ねじ４７のねじ部４７ａがねじ孔４６にねじ込まれている。固定ねじ４７は、ねじ部４７ａと頭部４７ｂとの間に円柱状の軸部４７ｃを有している。固定ねじ４７の頭部４７ｂは、棚５のフランジ部５ｃと支持板４１のフランジ部４１ｃとの間に位置されている。
【００９５】
図８および図９に示すように、ロック板５５が棚５のフランジ部５ｃと支持板４１のフランジ部４１ｃとの間に配置されている。ロック板５５は、固定ねじ４７の軸部４７ｃが貫通する貫通孔５６を有している。このため、ロック板５５は、固定螺子４７の軸部４７ｃを介して支持板４１のフランジ部４１ｃの上に支持されている。本実施形態では、貫通孔５６の内径が軸部４７ｃの外径よりも大きいため、軸部４７ｃの外周面が貫通孔５６の縁から離れている。
【００９６】
したがって、ロック板５５は、固定ねじ４７の軸部４７ｃを支点として棚５の前後、左右および斜め方向にある程度の範囲内で自由に動くことができ、支持板４１のフランジ部４１ｃに対するロック板５５の姿勢が変更可能となっている。
【００９７】
図８に示すように、ロック板５５は、下板部５５ａ、上板部５５ｂおよび段差部５５ｃを有する一体構造物である。下板部５５ａは、支持板４１のフランジ部４１ｃの上に載置されている。上板部５５ｂは、棚５のフランジ部５ｃに対し僅かな間隔を存して向かい合っており、当該上板部５５ｂの真上に操作孔５３が位置されている。段差部５５ｃは、下板部５５ａと上板部５５ｂとの間に介在されて、下板部５５ａと上板部５５ｂとを一体的に結合している。さらに、下板部５５ａおよび上板部５５ｂは、互いに同一の幅寸法を有するとともに、下板部５５ａの長さ寸法は、上板部５５ｂの長さ寸法よりも大きい。
【００９８】
ロック板５５の下板部５５ａは、突出部５５ｄを一体に備えている。突出部５５ｄは、下板部５５ａの一側縁からブラケット３１の起立部３１ａに向けて突出されている。突出部５５ｄは、棚５が第１の位置Ｐ１にスライドされた状態において、ブラケット３１の係止溝３１ｃに引っ掛かっている。
【００９９】
本実施形態によると、突出部５５ｄの長さ寸法は、係止溝３１ｃの長さ寸法よりも若干短い。それとともに、係止溝３１ｃの深さ寸法は、突出部５５ｄの厚さよりも僅かに大きい。このため、例えば棚５および支持板４１にある程度の衝撃が加わっても、突出部５５ｄは係止溝３１ｃに引っ掛かった状態を維持し、突出部５５ｄが係止溝３１ｃから外れる難くなる。
【０１００】
ロック板５５は、上板部５５ｂの長さ寸法に比較して下板部５５ａの長さ寸法の方が大きく、しかも、下板部５５ａには突出部５５ｄが一体に形成されている。このため、下板部５５ａと突出部５５ｄとを合わせた重量が、上板部５５ｂの重量よりも大きくなる。
【０１０１】
この結果、段差部５５の存在により上板部５５ｂが下板部５５ａよりも上方に位置されているにも拘らず、下板部５５ａが支持板４１のフランジ部４１ｃの上に安定した姿勢で載置されるとともに、突出部５５ｄが係止溝３１ｃに確実に引っ掛かった状態を維持し得る。
【０１０２】
以上のように、ロック機構Ｒは、支持板４１のフランジ部４１ｃの上に固定ねじ４７を介して移動可能に支持されたロック板５５と、ロック板５５の下板部５５ａに一体に形成され、ブラケット３１の係止溝３１ｃに引っ掛かる突出部５５ｄと、を備えている。固定ねじ４７の軸部４７ｃは、下板部５５ａに開けた貫通孔５６を遊びをもって貫通しているので、ロック板５５は、支持板４１のフランジ部４１ｃと棚５のフランジ部５ｃとの間で上下方向に変位可能である。
【０１０３】
このため、上板部５５ｂを指先で押し下げれば、ロック板５５は、段差部５５ｃを支点として上板部５５ｂの前端が下がり、下板部５５ａの後端が突出部５５ｃとともに上昇するような姿勢に傾く。
【０１０４】
図１０Ａは、棚５がロック機構Ｒを介して第１の位置Ｐ１にロックされた状態を示す断面図、図１０Ｂは、ロック機構Ｒによる棚５のロックが解除された状態を示す断面図、図１０Ｃは、ロック機構Ｒによるロックが解除された棚５を第１の位置Ｐ１から第２の位置Ｐ２にスライドさせた状態を示す断面図である。
【０１０５】
棚５が第１の位置Ｐ１にスライドされた状態では、ロック板５５の突出部５５ｄがブラケット３１の係止溝３１ｃに引っ掛かっている。このため、スライドレール機構Ｓのスライドが制限され、棚５が第１の位置Ｐ１に移動不能にロックされる。
【０１０６】
したがって、棚５が第１の位置Ｐ１にロックされている限り、例えば地震によりショーケース本体１が強く揺れるようなことがあっても、棚５が陳列室４の正面開口部４００から飛び出たり、棚５の上の商品Ｇが落下するのを防止できる。
【０１０７】
さらに、図９に示すように、各棚５毎に設けられたスライドレール機構Ｓおよびロック機構Ｒは、棚５の底面５ａと略同一の高さ位置、又は底面５ａよりも上方に位置されているので、スライドレール機構Ｓおよびロック機構Ｒが各棚５の下側の陳列空間を狭めることはない。
【０１０８】
よって、陳列室４に陳列された商品Ｇの視認性を良好に維持することができる。それとともに、商品Ｇを陳列室４から取り出す際にスライドレール機構Ｓおよびロック機構Ｒが邪魔とならず、商品Ｇの取り出しを良好に行うことができる。
【０１０９】
図１１Ａに示すように、棚５が第１の位置Ｐ１にある時は、棚５のフランジ部５ｃとプライスカードホルダ４３との間に生じた僅かな隙間からロック板５５の一部が見えるに止まっている。前記隙間は、プライスカードホルダ４３の上部付近を意識的に注視することで初めて認識できる程度のものであり、ショーケース１Ａの美観を損なうことはない。
【０１１０】
ロック機構Ｒの主要な要素であるロック板５５は、棚５のフランジ部５ｃと支持板４１のフランジ部４１ｃとの間に介在され、棚５のフランジ部５ｃおよびプライスカードホルダ４３の周囲に突出する部位を有していない。このため、例えばロック機構Ｒに誤って手の指先を引っ掛けてしまうことはなく、ロック機構Ｒの誤作動を回避できる。
【０１１１】
本実施形態によると、棚５のフランジ部５ｃに指先を差し入れる操作孔５３が開口されているので、操作孔５３を通じてロック板５５の上板部５５ｂの一部が見えてしまう。しかしながら、操作孔５３を棚５のデザイン上の一つのアクセントとして取り扱えば、操作孔５３がショーケース１Ａの美観を低下させる要因とはならない。
【０１１２】
一方、棚５の上に新たに商品Ｇを補充する際には、ロック機構Ｒによる棚５のロックを解除し、棚５を第１の位置Ｐ１から第２の位置Ｐ２に向けてスライドさせる。棚５のロックを解除するには、図１０Ｂに矢印で示すように、作業者は、手の指先を操作孔５３に挿入し、指先でロック板５５の上板部５５ｂを押し下げる。スライドレール機構Ｓおよびロック機構Ｒは、棚５の右端部および左端部に設けられているので、作業者は、棚５の右側および左側に位置された操作孔５３に夫々手の指先を挿入して、ロック板５５の上板部５５ｂを押し下げる。
【０１１３】
上板部５５ｂを押し下げることで、ロック板５５は、段差部５５ｃを支点として下板部５５ａの後端が支持板４１のフランジ部４１ｃの上側に離脱するような姿勢に傾斜する。このロック板５５の傾斜により、下板部５５ａから突出された突出部５５ｄがフランジ部４１ｃの上側に向けて変位し、突出部５５ｄがブラケット３１の係止溝３１ｃから抜け出る。よって、ロック機構Ｒによる棚５のロックが解除される。
【０１１４】
棚５のロックが解除された状態で、棚５を陳列室４から引き出せば、図１０Ｃに示すように、棚５と一緒にロック板５５がスライドし、突出部５５ｄの前端が係止溝３１ｃから外れてブラケット３１の起立部３１ａの上縁に摺動可能に乗り移る。このため、手の指先を操作孔５３から引き抜いて上板部５５ｂの押し下げを解除しても、突出部５５ｄの前端は、ブラケット３１の起立部３１ａの上縁に接した状態を維持する。
【０１１５】
したがって、上板部５５ｂを指先で押し下げながら棚５を引き出す必要はなく、棚５を第１の位置Ｐ１から第２の位置Ｐ２に向けてスライドさせる作業を容易に行うことができる。
【０１１６】
図１１Ｂに示すように、棚５が第２の位置Ｐ２にある時は、プライスカードホルダ４３が棚５と一緒に移動し、外レール３０を側方から覆うブラケット３１が陳列室４の右側開口部４０１に露出される。そのため、ブラケット３１の起立部３１ａに形成された係止溝３１ｃが陳列室４の右側開口部４０１を通して見える。
【０１１７】
棚５が第２の位置Ｐ２に達したら、棚５のスライドを停止させて棚５の上に新たな商品Ｇを補充する作業を実行する。よって、棚５の上に商品Ｇを補充する作業を短時間のうちに容易に行うことができる。
【０１１８】
商品Ｇの補充作業が終了したら、棚５を第２の位置Ｐ２から第１の位置Ｐ１にスライドさせ、棚５を陳列室４に押し戻す。この際、ロック板５５は、突出部５５ｄの前端がブラケット３１の起立部３１ａの上縁に接した状態を維持するように傾いているので、上板部５５ｂを再度押し下げる必要はなく、棚５をそのまま陳列室４に向けて押し込むだけでよい。
【０１１９】
棚５が第１の位置Ｐ１に達すると、突出部５５ｄがブラケット３１の起立部３１ａから外れてブラケット３１の係止溝３１ｃと合致する。この際、下板部５５ａと突出部５５ｄとを合わせた重量が上板部５５ｂの重量よりも大きいので、棚５が第１の位置Ｐ１に達すると、ロック板５５の重量のアンバランスに伴って、ロック板５５は段差部５５ｃを支点に突出部５５ｄが係止溝３１ｃに入り込む水平な姿勢に自然に回動する。
【０１２０】
この結果、図１０Ａに示すように、ロック板５５の突出部５５ｄが再び係止溝３１ｃに引っ掛かり、棚５が第１の位置Ｐ１にロックされる。よって、ショーケース１が激しく揺れたとしても、棚５が陳列室４の正面開口部４００から飛び出たり、棚５の上の商品Ｇが落下するのを防止できる。
【０１２１】
第２の実施形態では、棚５を第２の位置Ｐ２から第１の位置Ｐ１に向けてスライドさせた場合に、棚５が第１の位置Ｐ１に達した時点ｄでロック板５５の突出部５５ｄがブラケット３１の係止溝３１ｃに自動的に引っ掛かり、棚５が第１の位置Ｐ１にロックされる。さらに、棚５の操作孔５３に手の指先を挿入してロック板５５の上板部５５ｂを押し下げることで、棚５のロックを解除できる。この状態で棚５を第２の位置Ｐ２に向けて僅かにスライドさせれば、突出部５５ｄの前端がブラケット３１の起立部３１ａの上縁に摺動可能に乗り移る。このため、ロック板５５がロック解除状態に維持され、手の指先を操作孔５３から引き抜くことができる。
【０１２２】
第２の実施形態によると、ロック機構Ｒは、スライドレール機構Ｓの上方に位置するので、ロック機構Ｒのロック解除をスライドレール機構Ｓの上方から行うことができる。このため、例えば作業者がショーケース本体１の正面に立って棚５を陳列室４から引き出す際に、ロック機構Ｒの位置を容易に認識することができる。よって、両方の手で棚５の左右両端を抱えるようにして棚５を陳列室４から引き出すことができ、作業性が向上する。
【０１２３】
第２の実施形態においては、棚５にスライドレール機構Ｓの自由なスライドを制限する図示しないスライド規制部を設置することができる。スライド規制部は、例えばスライドレール機構Ｓの外レール３０の後端部に設置され、棚５が第１の位置Ｐ１にある時に、内レール４０の後端部に接触することで内レール４０に自由なスライドを制限するような抵抗を付与する
具体的には、第１の位置Ｐ１に位置された棚５を例えば陳列室４の前方に向けて数ｍｍないし数ｃｍ引き出すと、スライド規制部から内レール４０の後端部が離脱し、内レール４０に付加される抵抗が解消される。
【０１２４】
言い換えると、単にロック機構Ｒによる棚５のロックを解除しただけでは、内レール４０にスライド規制部から抵抗力が付加されている。このため、棚５を数ｍｍないし数ｃｍ引き出してスライド規制部から内レール４０に付加される抵抗力を解消しない限り、棚５は第１の位置Ｐ１に止まることになる。
【０１２５】
したがって、スライドレール機構Ｓにロック機構Ｒとスライド規制部とを併設することで、例えば地震等の揺れによりロック機構Ｒによる棚５のロックが不所望に解除された場合でも、棚５が陳列室５の外に飛び出すのを防止できる。よって、ショーケース１Ａの安全性を十分に確保することができる。
【０１２６】
ところで、例えば特開２００７−２９３２３号公報は、正面のみに開口する陳列室を備えたショーケースを開示している。当該ショーケースは、スライド可能な棚をロックするストッパ機構を備えている。ストッパ機構は、人為的に操作するためのレバーを有している。レバーは、棚の手元側の前端部に位置されるとともに、棚の下面から突出されている。
【０１２７】
このような構成によると、購買者が棚の上に陳列された商品を手で取り出す際に、手が誤ってレバーに接触する虞があり、棚のロックが不用意に解除されてしまうのを否めない。さらに、購買者が興味本位でレバーを操作して、棚のロックを解除してしまうこともあり得る。
【０１２８】
これに対し、第２の実施形態に開示されたロック機構Ｒは、棚５のフランジ部５ｃと支持板４１のフランジ部４１ｃとの間に配置され、棚５のフランジ部５ｃおよびプライスカードホルダ４３の周囲に突出する部位を有していない。言い換えると、ロック機構Ｒを操作する箇所が隠れているので、第三者がロック機構Ｒに興味本位で触れる可能性が低下する。よって、ロック機構Ｒの誤作動を確実に防止することができる。
【０１２９】
さらに、従来では、ばねの弾性力を利用して棚を解除可能にロックするようにしたストッパ機構が存在する。この種のストッパ機構によると、ばねの弾性力を細かく調整する必要があり、調整作業に手間を要する。それとともに、ストッパ機構の構造が複雑化するのを避けられず、ショーケースのコスト高を招く一つの要因となる。
【０１３０】
これに対し、第２の実施形態に係るロック機構Ｒでは、ロック板５５が重量のアンバランスに基づいて自然に回動する、所謂シーソー構造を採用している。そのため、ロック機構Ｒの構造が簡素であり、ショーケース１の製造過程で複雑な調整作業を必要としない。
【０１３１】
さらに、ばね等の弾性部材が不要となるので、弾性部材のへたりや劣化によりロック機構Ｒが動作不良を起こすことはない。したがって、ロック機構Ｒの耐久性が向上し、安価で信頼性の高いロック機構Ｒを備えたショーケース１Ａを提供することができる。
【０１３２】
第２の実施形態において、陳列室４の背面壁４ａに補助固定具を設け、棚５が第１の位置Ｐ１にある時に、棚５の奥行き方向に沿う終端部を補助固定具で背面壁４ａに補助的に固定するようにしてもよい。補助固定具は、棚５を第１の位置Ｐ１から第２の位置Ｐ２に向けてスライドさせた時に棚５の終端部を容易に解放し、棚５が第１の位置Ｐ１に戻った時に棚５の終端部を補助的に固定し得る拘束力を有する構成とすることが望ましい。
【０１３３】
以上を総括すれば、ショーケース１Ａは、コンパクトで設置面積を取らずに陳列室４の正面、右側面および左側面の三方向から同時に商品Ｇを見たり、手で取り出すことができ、商品Ｇの展示効果および販売効率を高めることができる。さらに、棚５が第１の位置Ｐ１と第２の位置Ｐ２との間でスライド可能であるから、棚５に商品Ｇを補充する際の作業性を高めることができる。
【０１３４】
加えて、棚５が商品Ｇの陳列に供する第１の位置Ｐ１にスライドされた状態では、ロック機構Ｒによりスライドレール機構Ｓのスライドを制限して棚５を第１の位置Ｐ１にロックするようにしたので、棚５の不用意な飛び出しを防止できる。
【０１３５】
しかも、棚５のロックを極めて簡単な操作で解除することができ、棚５を必要に応じて第１の位置Ｐ１から第２の位置Ｐ２に向けて容易にスライドさせることができる。それとともに、棚５を第２の位置Ｐ２から第１の位置Ｐ１に戻せば、棚５はロック機構Ｒにより自動的にロックされるので、棚５のロックおよびロック解除時の操作性が向上する。
【０１３６】
以上、幾つかの実施形態を説明したが、上述の実施形態は例として提示したものであり、実施形態の範囲を限定することを意図していない。この新規な実施形態は、その他の様々な形態で実施することが可能であり、発明の要旨を逸脱しない範囲内で種々の省略、置き換え、変更を行うことができる。これらの実施形態やその変形は、発明の範囲や要旨に含まれるとともに、特許請求の範囲に記載された発明とその均等の範囲に含まれる。
【０１３７】
例えば、ショーケース１Ａの部品点数を削減するため、支持板４１を省略してスライドレール機構Ｓの内レール４０を棚５の立ち上がり部５ｂにリベット等を用いて直に固定してもよい。
【０１３８】
さらに、棚５のフランジ部５ｃを省略し、ロック板５５を支持板４１のフランジ部４１ｃの上に露出させてもよい。
【符号の説明】
【０１３９】
１…ショーケース本体、４…陳列室、５…棚、４００…正面開口部、４１…右側開口部、４２…左側開口部、Ｇ…商品、Ｓ…スライドレール機構、Ｒ…ロック機構、Ｐ１…第１の位置、Ｐ２…第２の位置。
【図１】
2015182266.tif 000003
【図２】
2015182266.tif 000004
【図３】
2015182266.tif 000005
【図４】
2015182266.tif 000006
【図５】
2015182266.tif 000007
【図６】
2015182266.tif 000008
【図７】
2015182266.tif 000009
【図８】
2015182266.tif 000010
【図９】
2015182266.tif 000011
【図１０Ａ】
2015182266.tif 000012
【図１０Ｂ】
2015182266.tif 000013
【図１０Ｃ】
2015182266.tif 000014
【図１１Ａ】
2015182266.tif 000015
【図１１Ｂ】
2015182266.tif 000016
【国際調査報告】
2015182266.tif 000017
2015182266.tif 000018
2015182266.tif 000019
2015182266.tif 000020